(57)【要約】
【課題】墓前に供える花をいけるために花器として使用するのに好適であるとともに、墓地の良好な環境保全に貢献し得る花立てを提供する。
【解決手段】花立てＡは、中空円筒体１と、その上端開口部外周に設けたつば部２と、該円筒体の下端開口部に固着した円形キャップ状の底蓋３と、該円筒体と該底蓋との間を自在に摺動可能に遊嵌された可動リング４とから構成されている。花立てＡは、墓石に縦設された所定の直径を有する貫通穴５にその上方から前記上端開口部及び前記底蓋をそれぞれ上向きにした状態で挿入して、可動リング４を介して該貫通穴の上端開口線に掛止し得るようになっている。
【選択図】図８
0003100858.tif 000002
【実用新案登録請求の範囲】
【請求項１】
中空円筒体と、その上端開口部外周又はその近傍に設けたつば部と、該円筒体の下端開口部にその外周部分を覆うように固着した円形キャップ状の底蓋と、所定の外径と内径を有し、前記円筒体の外周に前記つば部と前記底蓋との間を自在に摺動できるように遊嵌された可動リングとから構成された花立てであって、墓石に縦設された、前記可動リングの外径より小さく、かつ前記つば部及び底蓋の各外径より大なる直径を有する貫通孔を利用し、該貫通孔にその上方から前記上端開口部及び前記底蓋をそれぞれ上向きにした状態で挿入して、前記可動リングを介して該貫通孔の上端開口縁に掛止し得るようにしたことを特徴とする花立て。
【請求項２】
請求項１に記載の花立てにおいて、前記中空円筒体、前記キャップ状の底蓋及び前記可動リングのいずれもがステンレス鋼製であることを特徴とする花立て。
【請求項３】
請求項１又は２に記載の花立てにおいて、前記可動リングが中央部に円形透孔を形成したステンレス鋼製の円板からなっていることを特徴とする花立て。
【請求項４】
請求項２又は３に記載の花立てにおいて、前記つば部が前記中空円筒体の上端開口部を外方に折曲して形成した折り返し部からなっていることを特徴とする花立て。
【請求項５】
請求項１から４までのいずれか１項に記載の花立てにおいて、前記中空円筒体がその下端開口部側から上端開口部側にかけて所定のテーパ角度を有して先細状に形成されていることを特徴とする花立て。
【考案の詳細な説明】
【技術分野】
【０００１】
本考案は花立てに係り、殊に墓前に供える花をいけるための花器として使用するのに好適な花立てに関するものである。
【背景技術】
【０００２】
墓前の墓石には、一般に、花を差し込むことのできる断面円形の供花用の貫通孔が縦設されており、墓参者はこの墓石の孔に花を差し込むことによって墓前に供花することができるようになっている。しかし乍ら、この孔は貫通孔としての縦孔であることから水を溜めることができないため、供えられた花が比較的短期間に枯れてしまうという不都合が生じる。
【０００３】
そこで、近時、このような不都合が生じるのを避けるため、例えば図１１に示すような、有底中空円筒体１１の上端開口部に外方に突出するつば部１２を設けてなり、花瓶と同様に内部に水を入れて使用し得るようにした花立てを前記墓石の貫通孔に前記円筒体をその底部側から挿入し、次いで、前記つば部を該貫通孔の上端開口縁に掛止させた態様で該墓石にセットし、その状態において該花立てに花をいけるようにすることが行われている。
【０００４】
ところが、お盆や彼岸等の墓参時に花をいけた前記花立てをその後もかなり長い期間に亘って墓石にセットしたままの状態に放置しておくと、花立ての内部に溜まっている水がボウフラ発生の温床となり、無数の蚊の発生を招き、墓地の環境を悪化させてしまう。また、墓参後に該花立てから花を取り除くとともに、花立て内部に溜まっている水を棄て去っても、墓石に前記した態様で再セットされた該花立てが風雨にさらされると、その代わりに雨水や塵埃等が花立て内部に溜まって腐食するので、花立てが汚れるばかりでなく、前記の場合と同様に蚊の発生を招き、墓地の環境を悪化させてしまう。。
【考案の開示】
【考案が解決しようとする課題】
【０００５】
本考案は、上記の如き問題点に鑑みてなされたものであって、その主たる目的は、墓前に供える花をいけるための花器として使用するのに好適であるとともに、墓地の良好な環境保全に貢献し得る花立てを提供することにある。
【課題を解決するための手段】
【０００６】
上記目的を達成するために、請求項１に記載の考案に係る花立ては、中空円筒体と、その上端開口部外周又はその近傍に設けたつば部と、該円筒体の下端開口部にその外周部分を覆うように固着した円形キャップ状の底蓋と、所定の外径と内径を有し、前記円筒体の外周に前記つば部と前記底蓋との間を自在に摺動できるように遊嵌された可動リングとから構成された花立てであって、墓石に縦設された、前記可動リングの外径より小さく、かつ前記つば部及び底蓋の各外径より大なる直径を有する貫通孔を利用し、該貫通孔にその上方から前記上端開口部及び前記底蓋をそれぞれ上向きにした状態で挿入して、前記可動リングを介して該貫通孔の上端開口縁に掛止し得るようにしたことを特徴とするものである。
【０００７】
また、請求項２に記載の考案に係る花立ては、請求項１に記載の花立てにおいて、前記中空円筒体、前記キャップ状の底蓋及び前記可動リングのいずれもがステンレス鋼製であることを特徴とするものである。
【０００８】
さらに、請求項３に記載の考案に係る花立ては、請求項１又は２に記載の花立てにおいて、前記可動リングが中央部に円形透孔を形成したステンレス鋼製の円板からなっていることを特徴とするものである。
【０００９】
そして、請求項４に記載の考案に係る花立ては、請求項２又は３に記載の花立てにおいて、前記つば部が前記中空円筒体の上端開口部を外方に折曲して形成した折り返し部からなっていることを特徴とするものである。
【００１０】
そしてまた、請求項５に記載の考案に係る花立ては、上記いずれかの花立てにおいて、前記中空円筒体がその下端開口部側から上端開口部側にかけて所定のテーパ角度を有して先細状に形成されていることを特徴とするものである。
【考案の効果】
【００１１】
本考案は、上記の如く構成されているので、これによれば、墓前に供える花をいけるための花器として使用するのに好適であるとともに、墓地の良好な環境保全に貢献し得る花立てを得ることができる。
【考案を実施するための最良の形態】
【００１２】
以下、本考案につき、その実施の形態の一例を具体的に示した添付図面を参照して詳細に説明する。
【実施例１】
【００１３】
図１〜６において、Ａは花立て、１はステンレス鋼製の中空円筒体、２はその上端開口部外周に設けたつば部、３は該中空円筒体１の下端開口部にその外周部分を覆うように固着した円形キャップ状のステンレス鋼製底蓋、４は所定の外径と内径を有し、前記円筒体１の外周に前記つば部２と前記底蓋３との間を自在に摺動できるよう遊嵌されたステンレス鋼製の可動リングである。
【００１４】
図示の例にあっては、つば部２は中空円筒体１の上端開口部を外方に折曲して形成した折り返し部からなっており、また、可動リング４は中央部に円形遊孔を形成したステンレス鋼製の円板からなっており、そして、中空円筒体１はその下端開口部側から上端開口部側にかけて所定のテーパ角度を有して先細状に形成されている。
【００１５】
図７〜１０において、Ｂは墓前に設置された墓石の一例であり、該墓石Ｂには前記可動リング４の外径より小さく、かつ前記円筒体１のつば部２及び底蓋３の各外径より大なる直径を有する断面円形の貫通孔５が縦設されている。したがって、花立てＡは、この貫通孔５に上方からその上端開口部及び底蓋３をそれぞれ上向きにした状態で挿入することができ、挿入されると、可動リング４を介して該貫通孔５の上端開口縁に掛止されるようになっている。
【００１６】
前記の如く構成された花立てＡの墓前での使用に当たっては、花立てＡをその上端開口部を上向きにした状態で墓石Ｂの貫通孔５に挿入する。このようにすると、前記可動リング４が該貫通孔５の上端開口の縁辺に当接して静止するとともに、前記つば部２の下側環状面２′が静止した該可動リング４の上面に係合するため、花立てＡは、図８に示すように、その上端開口部を上向きにした状態で該リング４を介して貫通孔５の上端開口縁に掛止される。花立てＡに水を入れたり、花をたてたりすることは、花立てＡをこのようにして墓石Ｂにセットする前でも後でも差し支えない。
【００１７】
墓前での使用後は、花立てＡを墓石Ｂの貫通孔５から引き抜き、供えられた花Ｆを取り除くとともに、その内部に溜まっている、ボウフラ発生の温床となる水を棄てた後、前記の場合とは反対に花立てＡの上端開口部を下向きにした状態、すなわちその底蓋３を上向きにした状態で該花立てを前記貫通孔５に上方から挿入する。このようにすると、前記の場合と同様に、前記可動リング４が該貫通孔の上端開口の縁辺に当接して静止するとともに、この静止した可動リング４の上面に、花立てＡの上下を反転させることにより下向きとなった前記底蓋３の上側環状面３′が係合するので、花立てＡは図９及び１０に示すように、逆さになった状態で、すなわち底蓋３を上向きにした状態で該リング４を介して貫通孔５の上端開口縁に掛止された状態で墓石Ｂに保持される。
【００１８】
花立てＡを前述したように逆さにした状態で墓石Ｂにセットしてやれば、お盆や彼岸等の時期が経過した後、花立てＡを長期間に亘ってそのままの状態に放置し、風雨にさらしても、その内部に雨水や塵芥等が侵入して溜まることがないので、腐食水等によって該花立てが汚れたり、蚊の発生を招くことを防止することができ、周囲の環境を良好に保つことが可能となる。
【産業上の利用可能性】
【００１９】
花立てＡは、図示の例にあっては、その構成部材がすべてステンレス銅製であるので、耐食性、耐久性等に富んでいるばかりでなく、外観も美麗であり、墓前用としてのみならず、仏前用、神前用等他の用途にも使用できる。
【図面の簡単な説明】
【００２０】
【図１】本考案の一実施例としての花立ての立面図。
【図２】図１に示した花立ての平面図。
【図３】同上花立ての底面図。
【図４】図１の中央断面図。
【図５】図１に示した花立ての上下を逆にした状態の立面図。
【図６】図５の中央縦断面図。
【図７】墓石の一部破断斜視図。
【図８】花立てを墓石にセットして使用中の状態を示す参考縦断面図。
【図９】花立てを使用後、その底蓋を上方に向けて墓石にセットした状態を示す参考縦断面図。
【図１０】花立てを使用後、その底蓋を上方に向けて墓石にセットした状態を示す一部破断斜視図。
【図１１】公知の花立ての立面図。
【符号の説明】
【００２１】
Ａ      花立て
Ｂ      墓石
１      中空筒状体
２      つば部
３      底蓋
４      可動リング
５      貫通孔
【図１】
0003100858.tif 000003
【図２】
0003100858.tif 000004
【図３】
0003100858.tif 000005
【図４】
0003100858.tif 000006
【図５】
0003100858.tif 000007
【図６】
0003100858.tif 000008
【図７】
0003100858.tif 000009
【図８】
0003100858.tif 000010
【図９】
0003100858.tif 000011
【図１０】
0003100858.tif 000012
【図１１】
0003100858.tif 000013